(57)【要約】【課題】この発明は、パレットに着脱可能に取り付けることができる折畳可能なパレット用ドーリーを提供する。【解決手段】パレット用ドーリーは、パレットの底面側の４隅の４個所、又は底面側の一方の辺の両隅と対向する辺の中途位置の３個所に掛止められる掛止片をベース片上に立設した４つ又は３つの掛止部と、各掛止部のベース片の裏面に取り付けられた１又は複数のキャスタと、各掛止部に基端が固定されて掛止部のパレット装着時に掛止部を掛止位置に支持する連結部材と、該連結部材を折畳乃至展開自在に枢着する枢着構造を有していることを特徴とする。【選択図】図１
2011219136.tif 000002
【特許請求の範囲】
【請求項１】
パレットの底面側に着脱可能に連結されてパレットを走行可能にするパレット用ドーリーにおいて、
パレットの底面側の４隅の４個所、又は底面側の一方の辺の両隅と対向する辺の中途位置の３個所に掛止められる掛止片をベース片上に立設した４つ又は３つの掛止部と、
各掛止部のベース片の裏面に取り付けられた１又は複数のキャスタとからなっていることを特徴とするパレット用ドーリー。
【請求項２】
各掛止部に基端が固定されて掛止部のパレット装着時に掛止部を掛止位置に支持する連結部材と、
該連結部材を折畳乃至展開自在に枢着する枢着構造を有していることを特徴とする請求項１に記載のパレット用ドーリー。
【請求項３】
連結部材を折畳乃至展開自在に枢着する枢着構造が、パレットの底面中央に配置される中央の掛止部からなっていることを特徴とする請求項２に記載のパレット用ドーリー。
【請求項４】
掛止部が、パレットの底面側の４隅に対応して４つ設けられており、
連結部材が、対角に配置された２つの掛止部に掛け渡された一対の連結杆からなっており、
該一対の連結杆が中央で枢着されていることを特徴とする請求項２に記載のパレット用ドーリー。
【請求項５】
連結部材が、掛止部に基端が固定されると共に、装着時のパレット中央に向かって延びる支杆部と、該支杆部の先端をそれぞれ枢着する屈曲部とからなっていることを特徴とする請求項２に記載のパレット用ドーリー。
【請求項６】
連結部材が、掛止部に基端が固定されると共に、装着時のパレット中央方向に向かって延びる支杆部と、該支杆部の一つで先端より離間して交差した状態で固定された中継杆部と、該中継杆部及び又は中継杆部を有する支杆部の先端に枢着された他の支杆部とからなることを特徴とする請求項２に記載のパレット用ドーリー。
【請求項７】
掛止部は、ベース片に３つ以上のキャスタが取り付けられており、自立可能となっていることを特徴とする請求項１に記載のパレット用ドーリー。
【発明の詳細な説明】
【技術分野】
【０００１】
この発明は、パレットに着脱可能に取り付けることができる折畳可能なパレット用ドーリーに関する。
【背景技術】
【０００２】
従来、パレット用のドーリーは、断面アングル状の矩形フレームの四隅にキャスタを取付けて、前記フレーム内にパレットを嵌め込み、パレットをキャスタで走行可能とする構造が知られている。
一方、特開平０７−３２９９７０号には、荷物の運搬、或いは荷物の保管時に使用されるパレットにおいて、該パレット１の下面側に、着脱容易なキャスター６を取付けてドーリーとして使用しうる構造のパレットが開示されているが、前記キャスターは、パレット底面に１つづつ着脱可能に取り付ける必要があり、手間のかかる繁雑な作業となっている。
【先行技術文献】
【特許文献】
【０００３】
【特許文献１】特開平０７−３２９９７０号公報
【発明の概要】
【発明が解決しようとする課題】
【０００４】
この発明は、上記事情に鑑みて創案されたものであって、その主たる課題は、キャスタを備えた自立可能な掛止部を４つ又は３つ設け、使用時には掛止部にパレットを掛け止めて台車として使用し、不使用時にはパレットから掛止部を外して収納することができるパレット用ドーリーを提供することにある。
この発明の別の課題は、前記掛止部を折畳可能な連結杆で連結し、連結杆を展開した状態で掛止部にパレットを掛け止めて台車として使用し、不使用時にはパレットを外し連結杆を折畳んでコンパクトに収納することができるパレット用ドーリーを提供することにある。
【課題を解決するための手段】
【０００５】
この発明は、上記課題を解決するために、請求項１の発明では、
パレットの底面側に着脱可能に連結されてパレットを走行可能にするパレット用ドーリーにおいて、
パレットの底面側の４隅の４個所、又は底面側の一方の辺の両隅と対向する辺の中途位置の３個所に掛止められる掛止片をベース片上に立設した４つ又は３つの掛止部と、
各掛止部のベース片の裏面に取り付けられた１又は複数のキャスタとからなっていることを特徴とする。
また、請求項２の発明では、
前記各掛止部に基端が固定されて掛止部のパレット装着時に掛止部を掛止位置に支持する連結部材と、
該連結部材を折畳乃至展開自在に枢着する枢着構造を有していることを特徴とする。
請求項３の発明では
前記連結部材を折畳乃至展開自在に枢着する枢着構造が、パレットの底面中央に配置される中央の掛止部からなっていることを特徴とする。
請求項４の発明では、
前記掛止部が、パレットの底面側の４隅に対応して４つ設けられており、
連結部材が、対角に配置された２つの掛止部に掛け渡された一対の連結杆からなっており、
該一対の連結杆が中央で枢着されていることを特徴とする。
また、請求項５の発明では、
前記連結部材が、掛止部に基端が固定されると共に、装着時のパレット中央に向かって延びる支杆部と、該支杆部の先端をそれぞれ枢着する屈曲部とからなっていることを特徴とする。
請求項６の発明では、
前記連結部材が、掛止部に基端が固定されると共に、装着時のパレット中央方向に向かって延びる支杆部と、該支杆部の一つで先端より離間して交差した状態で固定された中継杆部と、該中継杆部及び又は中継杆部を有する支杆部の先端に枢着された他の支杆部とからなることを特徴とする。
請求項７の発明では、
前記掛止部は、ベース片に３つ以上のキャスタが取り付けられており、自立可能となっていることを特徴とする。
【発明の効果】
【０００６】
この発明のパレット用ドーリーでは、掛止部をネジ止めすることなく、パレットの角部に差し込むだけでパレットをドーリーとして使用することができ、不使用時には取り外すだけでよいので、容易に取り扱うことができる。
また、折畳構造を有する連結部材で掛止部間を連結しておけば、使用時には連結部材を展開してパレットを掛止部の掛止片で掛止めて拘束し、不使用時にはパレットを外してコンパクトに収納することができる。
【図面の簡単な説明】
【０００７】
【図１】実施例１のパレットを装着したパレット用ドーリーの斜視図である。
【図２】同側面図である。
【図３】実施例１のパレット用ドーリーの展開状態を示す平面図である。
【図４】同斜視図である。
【図５（ａ）】同折畳状態を示す斜視図である。
【図５（ｂ）】同平面図である。
【図５（ｃ）】同掛止部の斜視図である。
【図６（ａ）】中央にも掛止部を有する実施例２のパレット用ドーリーの展開状態を示す斜視図である。
【図６（ｂ）】同折畳状態を示す斜視図である。
【図７】実施例３のパレット用ドーリーの１つの掛止部だけが展開された状態の斜視図である。
【図８】同折畳の一例を示す斜視図である。
【図９】実施例４のパレット用ドーリーの折畳状態を示す斜視図である。
【図１０】同パレット用ドーリーの展開状態を示す斜視図である。
【図１１】実施例５のパレット用ドーリーの展開状態を示す平面図である。
【図１２】（ａ）は掛止部の異なる実施例を示す斜視図、（ｂ）は平面図である。
【図１３】（ａ）は掛止部の更に別の実施例を示す斜視図、（ｂ）は平面図である。
【発明を実施するための形態】
【０００８】
以下に、この発明のパレット用ドーリーの好適実施例について図面を参照しながら説明する。
【実施例１】
【０００９】
［パレット用ドーリー］
実施例１のパレット用ドーリー１は、図１から図６に示すように、パレット８の底面側に着脱可能に連結されてパレット８を走行可能にするドーリーであり、パレット８に掛止められる掛止部２と、掛止部２に設けられたキャスタ３と、掛止部２間を連結する連結部材４と、連結部材４に設けられた枢着構造５とを有している。
【００１０】
［掛止部］
本実施例では、掛止部２は、図３及び図４に明瞭なように、パレットの底面側の４隅にそれぞれ掛止められるよう４つ設けられている。
掛止部２は、ベース片２１と、該ベース片２１上で９０度間隔に配置された一対の掛止片２２と、前記ベース片２１の底面に固定されたキャスタ３とからなっている。
【００１１】
ベース片２１は、図示例の場合、平面支視略六角形状のプレートからなっており、先端側が直角の角部の一部を切り欠いた台形状となっており、その直交方向に延びる一対の辺に沿って掛止片２２が立設されている。
この発明でベース片２１の形状は特に図示例に限定されないが、パレット８のコーナーに沿って外側へ突出しないように形成されることが好ましい。
【００１２】
また、掛止片２２は、ベース片２１上に固着されてベース片２１から直角に起立するものでもよく、また、図示例のように掛止片２２は左右に分離した平面視略ハ字状の形状でも、或いは一体につながった平面視略Ｌ字状の形状でもよい。
本実施例では、プレートの直交方向に延びる片の先端を直角に折り曲げて左右一対の掛止片２２としているので成形が容易となる。
そして、この掛止片２２は、パレット８の角部に外側から略隙間無く接して掛止められる。
【００１３】
［キャスタ］
前記ベース片２１には、その底面側にキャスタ３が固定されている。
本実施例では、キャスタ３はベース片２１の底面に固定される取付板３１に車輪３２を軸支したヨーク３３を旋回可能に取付けた旋回キャスタを用いたが、取付板にヨークを固定した直進用のキャスタ（図示省略）を用いてもよい。
また、一部の掛止部２の一部に旋回キャスタを用い、残りの掛止部２に直進用のキャスタを用いたり、１つの掛止部２に旋回キャスタと直進用のキャスタを組み合わせて用いる等、適宜組み合わせて用いてもよい。
【００１４】
図示例では、ベース片２１に沿って、先端の直角の角部に向かうキャスタを中心に左右に略４５度間隔で合計３つの小型の旋回キャスタ３が取り付けられており、掛止部２へかかる荷重を分散して安定性を高めている。
【００１５】
［連結部材］
前記４つの掛止部２は、連結部材４によって９０度間隔に配置され、パレット８の四隅の角部に対応するようになっている。
連結部材４は、使用時にパレット８の各角部を結ぶ対角線に沿って延びる杆材からなっており、折畳むための枢着構造５を有している。
【００１６】
［枢着構造］
本実施例で示す連結部材４は、基端が各掛止部２に固定された４つの支杆部４１と、該支杆部４１の先端とそれぞれ枢着されるＸ状の杆材からなる屈曲部４５とからなっている。
該屈曲部４５は、Ｘ状に形成された４つの杆部４６先端に薄肉の突片４７を固着している。
【００１７】
各支杆部４１は、その先端に前記突片４７を差し込むスリット４２を有しており、該スリット４２に突片４７を挿入した状態で杆部４６と突片４６を枢軸Ｐで枢着している。
これにより前記枢軸Ｐを支点にして各支杆部４１を介して掛止部２を折畳むことができる。
【００１８】
上記構成からなるので、使用時には、支杆部４１をＸ状に展開して掛止部２を四方に配置し、パレット８の各角部を掛止部２上に載せて掛止片２２で四隅を拘束する（図３〜図４参照）。
上記パレット８と掛止部２の掛止によって支杆部４１は展開姿勢に固定され、キャスタ３によってパレット８を台車として使用することができる。
また、不使用時には、前記掛止部２の掛止片２２からパレット８を外し、図５に示すように、屈曲部４５から各支杆部４１を折畳むことでコンパクトに収納することができる。
【実施例２】
【００１９】
図６に示すパレット用ドーリー１は、パレットの底面中央にも掛止部２０を有する重荷重用に適した異なる実施例を示す。
この実施例２のパレット用ドーリー１では、前記実施例１と同様に、前記４つの掛止部２は、９０度間隔に配置され、パレット８の四隅の角部に対応するようになっている。
連結部材４は、使用時にパレット８の各角部を結ぶ対角線に沿って延びる杆材からなっており、折畳むための枢着構造５を有している。
【００２０】
本実施例２で示す連結部材４は、基端が各掛止部２に固定された４つの支杆部４１と、該支杆部４１の先端とそれぞれ折畳可能に枢着される中央の掛止部２０とからなっている。
【００２１】
該中央の掛止部２０は、平面視略菱形のベース片２１を有しており、該ベース片２１に９０度間隔に各支杆部４１の端部を嵌合し枢着する溝２１ａを有している。
また、ベース片２１はパレット８の底面を載置するだけであるので、掛止片２２は設けておらず、その底面側には等間隔にキャスタ３が取り付けられており、図示例の場合、前記隣接する支杆部４１の中央に配置されるように４つのキャスタ３が配置されている。
【００２２】
また、ベース片２１の中央には、直線状に延びる収納溝２７が形成されており、該収納溝２７内に一対の貫通孔（図示せず）が穿設されて、倒立略Ｕ字状のワイヤからなる把手２８の一対の脚部が昇降可能に貫挿されておりベース片２１の底面側に突出する脚部の下端には抜止部（図示せず）が設けられている。
これにより、使用時には把手２８は収納溝２７内に嵌合するので、ベース片２１は扁平な上面となってパレット８底面の中央を支承することができる。
不使用時には、前記連結部材４が折畳まれ、中央の掛止部２０に設けられた前記把手２８は収納溝２７から引き上げられて、把手２８として折畳まれたパレット用フォリー１の持運び用に供せられる。
その他の構成は前記実施例１と同様であるので、その説明を省略する。
【実施例３】
【００２３】
図７及び図８に示すパレット用ドーリー１は、枢着構造の異なる実施例を示す。
このパレット用ドーリー１では、連結部材４が各掛止部２に固着された支杆部４１を有しており、該支杆部の１つを他の支杆部４１より長い主支杆部４１’とし、該主支杆部４１’の先端寄りの中途位置に主支杆部４１’から直角に左右に延びる交差杆４３を設けている。
【００２４】
該交差杆４３の左右両端には突片４６を突出しており、他の２つの支杆部４１の先端には、前記突片４７を挿入可能なスリット４２を設けて、該スリット４２に突片４７を挿入した状態で支杆部４１と突片４７を枢軸Ｐ１で枢着している。
また、残りの１つの支杆部４１”は、その先端側を前記主支杆部４１’の交差杆４３より先端側に上下に重ねて枢軸Ｐ２で枢着している。
【００２５】
これにより、使用時には、主支杆部４１’と残りの１つの支杆部４１”とは同一線上に展開し、左右の支持杆４１は、上記主支杆部４１’と支杆部４１”の形成する軸線と直交する直線状に揃うようにそれぞれ枢動して、Ｘ状に展開する連結部材４とすることができる。
また不使用時には、前記枢軸Ｐ１及び枢軸Ｐ２を支点にして、それぞれを同一方向に枢動し、コンパクトに折畳むことができる。
その他の構成は前記実施例１と同様であるので、その説明を省略する。
【実施例４】
【００２６】
図９及び図１０に示すパレット用ドーリー１は、枢着構造の異なる実施例を示す。
この場合、連結部材４が、展開時に対向する一対の掛止部２を両端に固着する支杆部４１を２つ設け、各支杆部４１を上下に重ねてその中央で枢軸Ｐにより枢着した構成からなっている。
【００２７】
これにより、連結部材４は使用時にはＸ状に展開し、不使用時には上下に重なって直線状に折畳むことができる。
その他の構成は前記実施例１と同様であるので、その説明を省略する。
【実施例５】
【００２８】
図１１に示すパレット用ドーリー１は、掛止部２を３つ設けた場合の異なる実施例を示す。
即ち、２つの掛止部２は、前記実施例と同様にパレット８の２つの角部に掛け止められ、残りの１つの掛止部２’は前記２つの角部を有するパレット８の１辺８ａに対向する他の辺８ｂに掛止められる。
【００２９】
前記１つの掛止部２’は直角方向に延びる掛止片を設けずに、直線状に延びて前記パレット８の他方の辺８ｂに沿ってパレットの外周壁に掛止められる掛止片２２’を有している。
上記掛止片２２’は、連続する１つの片でもよいし、一部が切り欠かれた複数の片からなるものでもよく、要するに同一線上に配置されていればよい。
【００３０】
また、連結部材４は、各掛止部２、２’に基端が固定された３つの支杆部４１と、各支杆部４１と枢着されるＹ字状の屈曲部４５とからなっている。
そして、Ｙ字を構成する各杆部４６には肉薄の突片４７を延長上に突出し、各支杆部４１にはスリット４２を形成して前記突片４７をい差し込み、杆部４６と支杆部４１とを枢軸Ｐで枢着した構成からなっている。
【００３１】
従って、使用時には支杆部４１を展開してＹ字状にして掛止片２２をパレット８の両角部と対向する辺の外周壁の中央位置で掛け止めることができる。
また、不使用時には支杆部４１を折り畳んでコンパクトに収納することができる。
また、Ｙ字状の屈曲部を設けず、実施例４のように１つの主支杆部に交差杆を設けて２つの支杆部を枢着する構成としてもよい（図示せず）。
【００３２】
その他、枢着構造は、要するに支杆部を使用時にはＹ字状に展開し、不使用時には折畳んで各支杆部を１つに重ねることができればよい。
また、前記実施例２のように屈曲部４５に代えて中央の掛止部２０（図示せず）を設けてもよい。この場合、掛止部２０は３本の支杆部４１の端部を嵌合し枢着する３つの溝２１ａを等間隔に配置すればよい。
【実施例６】
【００３３】
上記実施例では各掛止部２間には、各掛止部２間を連結すると共に折畳乃至展開する枢着構造を有する連結部材４を設けた場合を例示したが、各掛止部２を連結せずに、直接にパレット８に着脱可能に固定する構造としてもよい（図５（ｃ）参照）。
この場合、各掛止部２は３つ以上（図示例では３つ）のキャスタ３によって自立しているので、そのままパレット８の角部に隙間無く嵌め込んでもよいし、あるいは掛止部２にパレット８との係脱手段を設けておき取り付ける構造であってもよい。
【００３４】
掛止部２には、図１２に示すように、掛止片２２と共に、又は掛止片２２に替えて、掛止片２２と平行にベース片２１上に補助片２３ａを立設してもよい。
これにより、パレット８が小型の場合には、パレット８のコーナーを平面視ハ補助片２３ａによって掛け止めることができる。
【００３５】
また、前記補助片２３ａの後方には、パレット８との係合のために別の補助係止片２３ｂを立設してもよい。
一方、パレット８のコーナ部の底面には前記補助係止片２３ｂに対応する受溝部（図示省略）を設けておく。
また、パレット８が大型でコーナーが掛止片２２により位置決めされる場合には、パレット８のコーナ部の底面には前記補助片２３ａに対応する受溝部（図示省略）も設けておく。
上記受溝部は、樹脂製パレット８の底面の既存の凹凸部を用いることができ、その場合は補助片２３ａや２３ｂの位置を上記凹凸部に対応して配置しておけばよい。
【００３６】
そして、掛止片２２又は補助片２３ａにより、パレット８のコーナーが位置決めされると、パレットの受溝部に整合して補助片２３ａ及び又は補助係止片２３ｂが受溝部に挿入して、掛止部２をパレット８のコーナー部に拘束することができる。
この場合、各掛止部２は分離している場合を図示したが、図示しない連結部材で連結されていてもよい。
【００３７】
また、図１３で示す掛止部２は、ベース片２で、キャスタ３の取付板３１のネジ穴を除いた個所に孔を穿ち、該孔に上下に昇降自在にピン２４を挿入する。
該ピン２４は、上端と下端に抜止部（例えば、上端に大径の頭部を設け、下端はナットを螺合する等）を有しており、ピン２４の上端の抜止部とベース片２との間のピン本体にコイルスプリング２６を外嵌しており、荷重がかからない時にはベース片２上に突出している。
【００３８】
これにより、掛止部２にパレット８のコーナーを嵌合し掛止める際に、前記ピンの頭部がパレット８の底面と衝合すると、コイルスプリング２６が圧縮されてピンが下降する。この場合のピンの符号を説明の便宜上２５とする。
また、パレット８の底面に設けられた受溝に前記ピン２４が突出姿勢のまま挿入されると、該挿入されたピン２４はパレット８の拘束用として機能する。
このピン２４、２５の作用によりパレット８の安定した走行ができる。
この場合も、各掛止部２は分離している場合を図示したが、図示しない連結部材で連結されていてもよい。
【００３９】
この発明は上記各実施例に限定されるものではなく、その他、要するにこの発明の要旨を変更しない範囲で種々設計変更しうること勿論である。
【符号の説明】
【００４０】
１    パレット用ドーリー
２    掛止部
３    キャスタ
４    連結部材
５    枢着構造
８    パレット
２１    ベース片
２２    掛止片
３１    取付板
３２    車輪
３３    ヨーク
４１    支杆部
４２    スリット
４３    交差杆
４５    屈曲部
４６    杆部
４７    突片
【図１】
2011219136.tif 000003
【図２】
2011219136.tif 000004
【図３】
2011219136.tif 000005
【図４】
2011219136.tif 000006
【図５（ａ）】
2011219136.tif 000007
【図５（ｂ）】
2011219136.tif 000008
【図５（ｃ）】
2011219136.tif 000009
【図６（ａ）】
2011219136.tif 000010
【図６（ｂ）】
2011219136.tif 000011
【図７】
2011219136.tif 000012
【図８】
2011219136.tif 000013
【図９】
2011219136.tif 000014
【図１０】
2011219136.tif 000015
【図１１】
2011219136.tif 000016
【図１２】
2011219136.tif 000017
【図１３】
2011219136.tif 000018